(57)【特許請求の範囲】
【請求項１】
アルカリ水吐水具および酸性水吐水具が一体化され、流し台の天板に形成した取り付け穴に上方から挿入、貫通されるパイプ状の固定具を最下部から突設したカラン装置と、前記カラン装置の最下部と天板上面との間に介在され、操作パネルを取り付けた操作パネルベースとを具備し、前記天板の取り付け穴を貫通した固定具の外周にナットを螺着することのよって前記操作パネルベースを間にカラン装置を天板に締め付けて固定し、前記パイプ状の固定具には、アルカリ整水器本体から前記アルカリ水吐水具および酸性水吐水具に至る複数の通水管、並びに前記操作パネルとアルカリ整水器本体を結ぶ接続ケーブルを挿通するとともに、この接続ケーブルは固定具に形成した長穴から前記操作パネルベース内の空間に導き、前記操作パネルに至らせるようにしたビルトインアルカリ整水器。
【請求項２】
流し台の天板に形成した取り付け穴に上方から挿入、貫通される下方へのネジ筒を有し、前記取り付け穴を貫通した前記ネジ筒の外周にナットを螺着することによって前記天板に締め付け固定される操作パネルベースと、アルカリ水吐水具および酸性水吐水具が一体化され、最下部に形成したネジ部を前記ネジ筒の上部内周に螺着することで前記操作パネルベースに固定されたカラン装置と、前記操作パネルベースに取り付けた操作パネルとを具備し、前記ネジ筒には、アルカリ整水器本体から前記アルカリ水吐水具および酸性水吐水具に至る複数の通水管、並びに前記操作パネルとアルカリ整水器本体を結ぶ接続ケーブルを挿通するとともに、この接続ケーブルはネジ筒の側部に形成した穴から前記操作パネルベース内の空間に導き、前記操作パネルに至らせるようにしたビルトインアルカリ整水器。
【発明の詳細な説明】
【０００１】
【発明の属する技術分野】
本発明は、生成したアルカリ水と酸性水を吐水するカラン装置および操作パネルを備え、流し台に組み込んで使用するビルトインアルカリ整水器に関する。
【０００２】
【従来の技術】
一般に、アルカリ整水器で生成されるアルカリ水は、人体への有用性が確認されており、主として飲用・調理等に使用されている。このようなことから、アルカリ整水器をビルトインタイプとして流し台に組み込んで使用するようになってきた。なお、生成される酸性水は美容効果（アストリゼント）が確認されており、洗顔等に使用する場合もあるが飲用には適していないため、流し台に排出するようにしている。
【０００３】
以下に図面を参照して従来のビルトインアルカリ整水器について説明する。
【０００４】
図６は従来のビルトインアルカリ整水器の概略断面図であり、図示のようにアルカリ整水器本体１００は流し台３００の天板７の下方に配置され、流し台３００の天板７には取り付け穴８を形成してカラン装置２００を表出するように取り付けている。
【０００５】
前記アルカリ整水器本体１００には水道水供給のための給水ホース１０２を接続してあり、アルカリ整水器本体１００で生成されたアルカリ水はフレキシブル管３０１で、また酸性水は排出用のホース１１１でカラン装置２００に送られるようにしている。
【０００６】
また、カラン装置２００には、給水栓３０２よりフレキシブル管３０４を接続している。図中の６はカラン装置２００における操作レバー、３０３はフレキシブル管３０４に設けた逆止弁である。
【０００７】
ここで、アルカリ整水器本体１００の吐水モード切り換え等の操作を行う操作パネル１１２ａは、図示のようにアルカリ整水器本体１００に装着するか、もしくは流し台３００の扉の内側等に装着されている（図示せず）。
【０００８】
【発明が解決しようとする課題】
上記構成のビルトインアルカリ整水器では、操作パネル１１２ａはアルカリ整水器本体１００に装着するか、もしくは流し台３００の扉の内側等に装着されていることから、実際にビルトインアルカリ整水器を使用する際に、操作性に欠けており、使い勝手の悪いものであった。
【０００９】
また、流し台３００の天板７におけるカラン装置２００を取り付ける穴８は、一般的にφ３６〜３９であるが、操作パネル１２ａを天板７に独立して取り付ける場合には、φ１０〜３０の操作パネル取付専用の穴（図示せず）を天板７に別に加工してナット等で固定する必要があり、一穴しか形成していない標準の流し台３００にそのまま取り付けることができず、また、取り付け施工が非常に複雑になるという問題があった。
【００１０】
一方、このような問題を解決したビルトインアルカリ整水器として、図７に示すカラン装置２００がある。このビルトインアルカリ整水器のカラン装置２００は、操作パネル１１２ｂとアルカリ整水器本体との接続ケーブル（図示せず）が、吐水管２０内部に配されており、操作パネル１１２ｂはカラン装置２００の吐水管２０の天面部に配されている。こうすることで、カラン装置２００と操作パネル１１２ｂは、流し台天板７に形成した一つの穴８のみで取り付けることができる。
【００１１】
しかしながら、図７に示すビルトインアルカリ整水器のカラン装置２００の場合、操作パネル１１２ｂとアルカリ整水器本体との接続ケーブルが、吐水管２０内部に配されているため、鋳物であるカラン装置２００の吐水管２０等が複雑な形状となる。
【００１２】
したがって、カラン装置２００の組み立ても非常に複雑となり、結果的に高価なカラン装置２００となり、かつ、カラン装置２００自体もそのビルトインアルカリ整水器専用となり、コスト的に非常に厳しいものとなっていた。
【００１３】
そこで本発明は、操作パネルの取り付け構成を工夫し、操作性などの使い勝手を良くするとともに、流し台の天板への取り付け施工が容易で、かつ、安価なビルトインアルカリ整水器を提供することを目的とする。
【００１４】
【課題を解決するための手段】
本発明は上記課題を解決するために、アルカリ水吐水具および酸性水吐水具が一体化され、流し台の天板に形成した取り付け穴に上方から挿入、貫通されるパイプ状の固定具を最下部から突設したカラン装置と、前記カラン装置の最下部と天板上面との間に介在され、操作パネルを取り付けた操作パネルベースとを具備し、前記天板の取り付け穴を貫通した固定具の外周にナットを螺着することのよって前記操作パネルベースを間にカラン装置を天板に締め付けて固定し、前記パイプ状の固定具には、アルカリ整水器本体から前記アルカリ水吐水具および酸性水吐水具に至る複数の通水管、並びに前記操作パネルとアルカリ整水器本体を結ぶ接続ケーブルを挿通するとともに、この接続ケーブルは固定具に形成した長穴から前記操作パネルベース内の空間に導き、前記操作パネルに至らせるようにしたものである。
【００１５】
本発明によれば、流し台天板の一つの取り付け穴にカラン装置の固定具を取り付けて前記カラン装置と操作パネルを取り付けでき、操作性などの使い勝手を良くするとともに、流し台の天板への取り付け施工が容易で、かつ、安価なビルトインアルカリ整水器とすることができる。
【００１６】
【発明の実施の形態】
本発明は、アルカリ水吐水具および酸性水吐水具が一体化され、流し台の天板に形成した取り付け穴に上方から挿入、貫通されるパイプ状の固定具を最下部から突設したカラン装置と、前記カラン装置の最下部と天板上面との間に介在され、操作パネルを取り付けた操作パネルベースとを具備し、前記天板の取り付け穴を貫通した固定具の外周にナットを螺着することのよって前記操作パネルベースを間にカラン装置を天板に締め付けて固定し、前記パイプ状の固定具には、アルカリ整水器本体から前記アルカリ水吐水具および酸性水吐水具に至る複数の通水管、並びに前記操作パネルとアルカリ整水器本体を結ぶ接続ケーブルを挿通するとともに、この接続ケーブルは固定具に形成した長穴から前記操作パネルベース内の空間に導き、前記操作パネルに至らせるようにしたものである。
【００１７】
また、流し台の天板に形成した取り付け穴に上方から挿入、貫通される下方へのネジ筒を有し、前記取り付け穴を貫通した前記ネジ筒の外周にナットを螺着することによって前記天板に締め付け固定される操作パネルベースと、アルカリ水吐水具および酸性水吐水具が一体化され、最下部に形成したネジ部を前記ネジ筒の上部内周に螺着することで前記操作パネルベースに固定されたカラン装置と、前記操作パネルベースに取り付けた操作パネルとを具備し、前記ネジ筒には、アルカリ整水器本体から前記アルカリ水吐水具および酸性水吐水具に至る複数の通水管、並びに前記操作パネルとアルカリ整水器本体を結ぶ接続ケーブルを挿通するとともに、この接続ケーブルはネジ筒の側部に形成した穴から前記操作パネルベース内の空間に導き、前記操作パネルに至らせるようにしたものである。
【００１８】
したがって、操作パネルを流し台天板へ外付けすることができてその操作性を良くし、また、カラン装置と操作パネルの流し台の天板への取り付け施工が容易になるという作用を有する。
【００１９】
以下、本発明の実施の形態を図面を参照して説明する。
【００２０】
（実施の形態１）
図１は、本発明の実施の形態１のビルトインアルカリ整水器の概略断面図である。なお、本実施の形態１においては、従来例で説明したビルトインアルカリ整水器の各部材に対応するものには同じ符号を付与している。
【００２１】
図１において、６は操作レバー、７は天板、８は取り付け穴、１００はアルカリ整水器本体、１０２は給水ホース、１１１は排水ホース、２００はカラン装置、３００は流し台、３０１はフレキシブル管、３０２は給水栓、３０３は逆止弁、３０４はフレキシブル管であり、これらは前述の従来例と同様に構成されているので、その説明は省略する。
【００２２】
本実施の形態１の特徴的構成は、操作パネル１１２の取り付け構成にあり、図示のように流し台３００の天板７上において、操作パネル１１２をカラン装置２００の固定具に取り付けている。
【００２３】
図２を参照してさらに詳しく説明すると、カラン装置２００は、アルカリ水吐水具１と酸性水吐水具２と、操作レバー６が一体に構成され、下部に位置する酸性水吐水具２の最下部に、外周に雄ネジを形成したパイプ状の固定具５を結合している。
【００２４】
そして、このパイプ状の固定具５に複数の通水管を挿入し、各通水管をアルカリ水吐水具１と酸性水吐水具２に接続している。
【００２５】
前記固定具５を流し台３００の天板７の取り付け穴８に挿入し、固定具５の天板７の下方に突出した部分にナット４を螺合させて締めつけることにより、天板７上にカラン装置２００を固定する。
【００２６】
この固定において、固定具５の天板７の上の部分、すなわち、天板７と酸性水吐水具２の最下部間に操作パネルベース１１を嵌め合わせてあり、この操作パネルベース１１の側部に操作パネル１１２を取り付けている。なお、接続ケーブル１０は固定具５に挿入され、固定具５に形成した長穴５ａを通して中継継手１２を介して操作パネル１１２に接続される。
【００２７】
この構成により、流し台３００の一つの取り付け穴８のみをもつ天板７でも操作パネル１１２を外付けすることができ、カラン装置２００と操作パネル１１２の流し台３００の天板７への取り付け施工が容易であり、また操作パネル１１２の操作性を良くすることができる。
【００２８】
参考のために、図３を用いて前記ビルトインアルカリ整水器の水の流れと動作について説明する。
【００２９】
アルカリ水および酸性水を吐水するアルカリモードの場合、水道水の給水栓３０２より逆止弁３０３を経由してビルトインアルカリ整水器のカラン装置２００に供給された水道水は、図１に示す操作レバー６の操作により、カラン装置２００に内蔵された弁（図示せず）が開いて通水され、定流量弁１０１において一定流量以下の流量に抑えられ、給水ホース１０２よりアルカリ整水器本体１００へ供給される。
【００３０】
アルカリ整水器本体１００に供給された水道水は、活性炭、特殊フィルタで構成される浄水カートリッジ１０３で濾過されて浄水となり、流量センサ１０４を経由し、分岐継手１０５で二つの経路に分かれて電解槽１０６へ送られる。
【００３１】
電解槽１０６では、流量センサ１０４で検知した水の流量に応じた直流電圧が白金チタン電極に印加され、水の電気分解により陽極側で酸性水、陰極側でアルカリ水がそれぞれ生成される。
【００３２】
電解槽１０６で生成されたアルカリ水は、継手１０７およびアルカリ整水器本体吐水口１０９を経由してフレキシブル管３０４でカラン装置２００へ入り、アルカリ水吐水具１より吐水される。
【００３３】
また、同じく電解槽１０６で生成された酸性水は、継手１０８および弁開状態の電磁弁１１０を経由し、排水ホース１１１でカラン装置２００へ送られ、酸性水吐水具２より吐水される。なお、アルカリ水と酸性水の流量比率は、電解槽入口側分岐継手１０５、電解槽出口側継手１０７、１０８によりおよそ４（アルカリ水）：１（酸性水）に調整される。
【００３４】
また、水のｐＨ調整は、電解槽１０６の白金チタン電極に印加する直流電圧の設定により４段階の設定が可能であり、これは操作パネル１１２のスイッチで行われる。
【００３５】
一方、浄水を吐水する浄水モードの場合、水道水の給水栓３０２よりビルトインアルカリ整水器のカラン装置２００へ入った水道水は、前記アルカリモードの場合と同様にアルカリ整水器本体１００へ送られ、浄水カートリツジ１０３で濾過されて浄水となり、電解槽１０６へ送られる。
【００３６】
しかし、浄水モードの場合、電解槽電極板への直流電圧は印加されず、水の電気分解は行われない。
【００３７】
また、電磁弁１１０は閉じており、酸性水側通水口は止水されている。電解槽１０６へ送られた浄水は、浄水のまま継手１０７およびアルカリ整水器本体吐水口１０９を経由してフレキシブル管３０１で、ビルトインアルカリ整水器のカラン装置２００へ入り、アルカリ水吐水具１より吐水される。
【００３８】
（実施の形態２）
図４は本発明の実施の形態２のカラン装置の取り付け構成を示し、この実施の形態２の特徴的構成は、カラン装置２００の固定を操作パネルベースが機能するようにした構成にある。
【００３９】
すなわち、図示のように操作パネルベース１１は上面板の中央にネジ穴１１ａを有し、さらにこのネジ穴１１ａの周囲より下方に伸びたネジ筒１１ｂを有している。
【００４０】
この構成において、操作パネルベース１１のネジ筒１１ｂを流し台の天板７の取り付け穴８に挿入し、ナット４を螺合させて操作パネルベース１１を天板７に固定する。
【００４１】
また、カラン装置２００は、酸性水吐水具２の最下部に設けた短いネジ部２ａを前記ネジ穴１１ａに螺合することで天板７上に装置できる。そして、操作パネル１１２は操作パネルベース１１の側部に取り付けている。
【００４２】
なお、前記ネジ筒１１ｂの側部には穴１１ｃを形成し、操作パネル１１２に接続する接続ケーブル１０を通すようにしている。
【００４３】
この構成によれば、アルカリ水吐水具１および酸性水吐水具２と操作パネル１１２を装着した操作パネルベース１１とが着脱可能な別部材でありながら、ビルトインアルカリ整水器のカラン装置として一体化が可能となり、施工性等が向上する。
【００４４】
（実施の形態３）
図５は本発明の実施の形態３のビルトインアルカリ整水器におけるカラン装置の取り付け状態の断側面図を示し、この実施の形態３の特徴的構成は、カラン装置２００に特徴があり、すなわち、カラン装置２００はアルカリ水吐水具１および酸性水吐水具２を有しているが、前記アルカリ水吐水具１は浄水・アルカリ水吐水口１ａと湯水混合水吐水口１ｂを備え、この浄水・アルカリ水吐水口１ａと湯水混合水吐水口１ｂを切り換えて所望の吐水が得られるようにしたことにある。
【００４５】
なお、固定具５、操作パネルベース１１、操作パネル１１２等の取り付けは実施の形態１と同様である。
【００４６】
この構成のカラン装置によれば、ビルトインアルカリ整水器専用以外に湯・水を使用する混合タイプの場合にも適用できるカラン装置とすることができ、使用範囲を広げることができて有用である。
【００４７】
【発明の効果】
以上の説明より明らかなように、本発明によれば、流し台に形成された一つの取り付け穴でカラン装置および操作パネルの取り付けが可能となり、一般的な流し台への汎用性を高め、かつ、流し台への取り付け作業の簡素化と作業時間の短縮が可能であるとともに、操作パネルを流し台天板へ外付けができ、操作性のよいビルトインアルカリ整水器とすることができる。
【図面の簡単な説明】
【図１】  本発明の実施の形態１のビルトインアルカリ整水器の概略断面図
【図２】  同ビルトインアルカリ整水器におけるカラン装置取り付け状態の断側面図
【図３】  同ビルトインアルカリ整水器の水の流れと動作の説明図
【図４】  本発明の実施の形態２のビルトインアルカリ整水器におけるカラン装置取り付け状態の断側面図
【図５】  本発明の実施の形態３のビルトインアルカリ整水器におけるカラン装置取り付け状態の断側面図
【図６】  従来のビルトインアルカリ整水器の概略断面図
【図７】  同ビルトインアルカリ整水器におけるカラン装置取り付け状態の断側面図
【符号の説明】
１  アルカリ水吐水具
２  酸性水吐水具
４  ナット
５  固定具
６  操作レバー
７  天板
８  取り付け穴
１０  接続ケーブル
１１  操作パネルベース
１００  アルカリ整水器本体
１０２  給水ホース
１１１  排水ホース
１１２  操作パネル
３００  流し台
３０１  フレキシブル管
３０２  給水栓
３０３  逆止弁
３０４  フレキシブル管
【図１】
0003915168.tif 000002
【図２】
0003915168.tif 000003
【図３】
0003915168.tif 000004
【図４】
0003915168.tif 000005
【図５】
0003915168.tif 000006
【図６】
0003915168.tif 000007
【図７】
0003915168.tif 000008